(57)【要約】  【課題】作業者等の頭部を局所的に過度に冷却してしまうことを抑制し得る頭部被覆具用内部空間冷却具を提供する。  【解決手段】頭部被覆具の内部空間に配されて使用される頭部被覆具用内部空間冷却具であって、樹脂により形成されたシェル体と、このシェル体の上側に冷却用の保冷体を支持させるための保冷体支持部材とを備えてなるものとした。また、前記シェル体における上面又は下面の少なくとも中央部に、シート状の断熱材を備えるものとした。【選択図】図１
2015045110.tif 000002
【特許請求の範囲】
【請求項１】
頭部被覆具の内部空間に配されて使用される頭部被覆具用内部空間冷却具であって、
樹脂により形成されたシェル体と、このシェル体の上側に冷却用の保冷体を支持させるための保冷体支持部材とを備えてなることを特徴とする頭部被覆具用内部空間冷却具。
【請求項２】
前記シェル体における上面又は下面の少なくとも中央部に、シート状の断熱材を備えている請求項１記載の頭部被覆具用内部空間冷却具。
【請求項３】
前記シェル体が、略円蓋形状をなしているものである請求項１又は２記載の頭部被覆具用内部空間冷却具。
【請求項４】
前記シェル体が、略円蓋形状をなしているものであり、後部に前記保冷体によって生じた冷気が流通し得る切欠部を備えている請求項１、２又は３記載の頭部被覆具用内部空間冷却具。
【請求項５】
前記保冷体支持部材が、前記シェル体の上面側に取り付けられた面ファスナである請求項１、２、３又は４記載の頭部被覆具用内部空間冷却具。
【請求項６】
前記シェル体が、ポリプロピレン製のものである請求項１、２、３、４又は５記載の頭部被覆具用内部空間冷却具。
【請求項７】
前記頭部被覆具が、硬質樹脂製の頭部被覆具本体と、この頭部被覆具本体の内部に配されて使用者の頭部に当接し得る装着部材とを備えたものであり、
前記シェル体の周端縁が、樹脂の弾性変形を利用して前記装着部材に係わり合うように構成されている請求項１、２、３、４、５又は６記載の頭部被覆具用内部空間冷却具。
【発明の詳細な説明】
【技術分野】
【０００１】
本発明は、ヘルメットや帽子等の頭部被覆具に装着して使用される頭部被覆具用内部空間冷却具に関する。
【背景技術】
【０００２】
従来から、ヘルメットの使用者に対する頭部の熱対策として、広く流通している冷却用の保冷バッグを活用した冷却具が種々考案されている（例えば、特許文献１を参照）。
【０００３】
しかしながら、従来の冷却具は、使用者の頭部に保冷バッグの冷たさが直接的に伝達しやすい構造のものが殆どであり、使用者の頭部を局所的に冷却しやすいものとなっていた。このため、従来の冷却具は、使用者に不快感を惹起するのみならず、冷凍準備された保冷バッグの冷たさを持続させにくいものとなっていた。
【０００４】
さらに、従来の冷却具は、ヘルメット内に装着するための構造が複雑なものとなっている。このため、従来の冷却具は、ヘルメットへの装着が面倒であることから、頻繁に行われ得る保冷バッグの交換等にも必然的に手間を要し、使用者の利便性を著しく欠くものであった。
【０００５】
なお、以上の事情は、ヘルメットに限らず、帽子等の頭部被覆具に適用した場合においても同様である。
【先行技術文献】
【特許文献】
【０００６】
【特許文献１】特開２００８−１３８８４号公報
【発明の概要】
【発明が解決しようとする課題】
【０００７】
本発明は、以上のような事情に着目してなされたものであり、少なくとも、使用者の頭部を局所的に冷却してしまうことを抑制し得る頭部被覆具用内部空間冷却具を提供することにある。
【課題を解決するための手段】
【０００８】
すなわち、本発明の頭部被覆具用内部空間冷却具は次の構成をなしている。
【０００９】
請求項１に記載の頭部被覆具用内部空間冷却具は、頭部被覆具の内部空間に配されて使用される頭部被覆具用内部空間冷却具であって、樹脂により形成されたシェル体と、このシェル体の上側に冷却用の保冷体を支持させるための保冷体支持部材とを備えてなる。
【００１０】
ここで、「頭部被覆具」とは、ヘルメットの他、種々の帽子や被り物が含まれる。すなわち、頭部被覆具は、例えば、麦わら帽子や野球帽や目出し帽、その他の比較的特殊な用途に使用される被り物（衣装、ぬいぐるみ、防具、マスク等）を広く含んだ概念である。
【００１１】
請求項２に記載の頭部被覆具用内部空間冷却具は、請求項１に係る構成において、前記シェル体における上面又は下面の少なくとも中央部に、シート状の断熱材を備えているものである。
【００１２】
請求項３に記載の頭部被覆具用内部空間冷却具は、請求項１又は２に係る構成において、前記シェル体が、略円蓋形状をなしているものである。
【００１３】
請求項４に記載の頭部被覆具用内部空間冷却具は、請求項１、２又は３に係る構成において、前記シェル体が、略円蓋形状をなしているものであり、後部に前記保冷体によって生じた冷気が流通し得る切欠部を備えているものである。
【００１４】
請求項５に記載の頭部被覆具用内部空間冷却具は、請求項１、２、３又は４に係る構成において、前記保冷体支持部材が、前記シェル体の上面側に取り付けられた面ファスナである。
【００１５】
請求項６に記載の頭部被覆具用内部空間冷却具は、請求項１、２、３、４又は５に係る構成において、前記シェル体が、ポリプロピレン製のものである。
【００１６】
請求項７に記載の頭部被覆具用内部空間冷却具は、請求項１、２、３、４、５又は６に係る構成において、前記頭部被覆具が、硬質樹脂製の頭部被覆具本体と、この頭部被覆具本体の内部に配されて使用者の頭部に当接し得る装着部材とを備えたものであり、前記シェル体の周端縁が、樹脂の弾性変形を利用して前記装着部材に係わり合うように構成されているものである。
【発明の効果】
【００１７】
以上説明したように本発明によれば、少なくとも、使用者の頭部を局所的に冷却してしまうことを抑制し得る頭部被覆具用内部空間冷却具を提供することができる。
【図面の簡単な説明】
【００１８】
【図１】本発明の一実施形態を示す斜視図。
【図２】同実施形態における斜視図。
【図３】同実施形態を模式的に示す概略断面図。
【発明を実施するための形態】
【００１９】
以下、本発明の一実施形態を、図１〜３を参照して説明する。なお、図１は上面側から見た斜視図であり、図２は下面側から見た斜視図である。
【００２０】
この実施形態は、本発明を、頭部被覆具である作業用ヘルメット（以下、単に「ヘルメット」と称する。）Ｈの内部空間ｓｐを冷却するための頭部被覆具用内部空間冷却具（以下、単に「冷却具」と称する。）Ａに適用したものである。ヘルメットＨは、工場、工事現場、建築現場等における現場作業者等である使用者Ｐの頭部Ｐｈを保護するためのものであり、既知のものである。
【００２１】
冷却具Ａは、ヘルメットＨの内部空間ｓｐに配されて使用されるものである。冷却具Ａは、樹脂により形成されたシェル体１と、シェル体１の上側に冷却用の保冷体Ｃを支持させるための保冷体支持部材２とを備えている。また、この冷却具Ａは、シェル体１における下面の中央部に、シート状の断熱材３を備えている。以下、詳述する。
【００２２】
シェル体１は、樹脂製のものであり、より具体的には、ポリプロピレン製のものである。シェル体１は、略円蓋形状、或いは、ドーム形状をなしている。換言すれば、シェル体１は、円蓋形状部分、ドーム形状部分、或いは、半球状の丸屋根形状部分を主体にして構成されている。
【００２３】
シェル体１は、中央部に、使用者Ｐの頭部Ｐｈに直接的又は間接的に接し、使用者Ｐの頭部Ｐｈに対して位置ずれし難くするために形成された凹み形状部１１を有している。なお、シェル体１は撓み得るもの、すなわち、弾性変形可能なものであり、シェル体１の厚み寸法は１ｍｍ以上に設定されている。
【００２４】
シェル体１は、後部に保冷体である保冷バッグＣによって生じた冷気ｃａが流通し得る切欠部１２を備えている。切欠部１２は、保冷バッグＣの冷気ｃａを使用者Ｐの後部から首に向かって流通させるための流通経路を形成するのみならず、シェル体１の両側端縁を内側に向かって弾性変形し易くしている。
【００２５】
ここで、「保冷体」とは、周囲の冷却に供するものであればどのようなものであっても構わない。すなわち、「保冷体」は、本実施形態に示すような一般に保冷剤とも称される保冷バッグＣには限られない。例えば、保冷体がドライアイスであってもよい。
【００２６】
保冷体支持部材である面ファスナ２は、シェル体１の上側に冷却用の保冷体Ｃを支持させるためのものである。面ファスナ２は、複数のフックを配したフック側バンド２１と、このフック側バンド２１の複数のフックが引っ掛かる起毛面を有した起毛側バンド２２とを備えたものである。フック側バンド２１の基端と起毛側バンド２２の基端は留め具ｔによってシェル体１の上面側に取り付けられている。この実施形態では、二組の面ファスナ２をシェル体１に取り付けてあり、これら面ファスナ２によってシェル体１に保冷バッグＣを支持させるようにしている。
【００２７】
断熱材３は、樹脂製のシート状のものである。具体的には、断熱材３は、化学架橋発泡ポリエチレンシートであり、シェル体１の下面側の中央部分に配されている。断熱材３は、面ファスナ２をシェル体１に取り付けるための留め具ｔを用いて共止めされている。
【００２８】
次いで、冷却具Ａの使用方法について説明する。
【００２９】
図示された頭部被覆具であるヘルメットＨは、広く普及しているもののあくまで一例である。すなわち、ヘルメットＨは、硬質樹脂製の頭部被覆具本体であるヘルメット本体Ｈ１と、ヘルメット本体Ｈ１の内部に配されて使用者Ｐの頭部Ｐｈに当接し得る装着部材Ｈ２とを備えている。装着部材Ｈ２は、帯状の部材により構成されたもので、使用者Ｐの頭部Ｐｈを覆う形状に形成されている。このヘルメットＨの内部空間ｓｐに、保冷体Ｃを支持した状態の冷却具Ａを入れ、装着部材Ｈ２と係わらせて所望の箇所に仮設置する。
【００３０】
冷却具Ａは、シェル体１の周端縁が、樹脂の弾性変形を利用して装着部材Ｈ２に係わり合うように構成されている。すなわち、シェル体１の周端縁は、樹脂の弾性変形によって装着部材Ｈ２に部分的に軽微に係わり合うようになっている。そして、使用者ＰがヘルメットＨを装着している通常姿勢の状態では、冷却具Ａは使用者Ｐの頭部Ｐｈに載置された状態となり、使用者Ｐの頭部Ｐｈに接する状態で使用者Ｐと装着部材Ｈとの間で適切な位置に移動し得るように構成されている。
【００３１】
以上説明したように、本実施形態に係る冷却具Ａは、ヘルメットＨの内部空間ｓｐに配されて使用されるものであり、樹脂により形成されたシェル体１と、シェル体１の上側に冷却用の保冷体である保冷バッグＣを支持させるための保冷体支持部材たる面ファスナ２とを備えている。このため、シェル体１の上側に支持された保冷バッグＣの冷たさは、樹脂製のシェル体１によって使用者Ｐの頭部Ｐｈに直接的に及びにくいものとなるため、使用者Ｐの頭部Ｐｈを局所的に過冷却してしまうことを好適に抑制し得るものとなる。しかも、保冷バッグＣによる冷気ｃａは、主として樹脂製のシェル体１の周囲から降下するものとなるため、使用者Ｐの頭部Ｐｈに対して冷気ｃａを好適に提供することができるものとなる。
【００３２】
シェル体１における下面の少なくとも中央部に、シート状の断熱材３を備えているため、保冷バッグＣによる冷たさがシェル体１を介して使用者Ｐの頭部Ｐｈに及びにくいものとなり、使用者Ｐの快適に供するものとなる。
【００３３】
シェル体１が、略円蓋形状をなしているものであるため、使用者Ｐの頭部Ｐｈにフィットし易くなるとともに、ヘルメットＨの内部空間ｓｐに配置しやすいものとなる。
【００３４】
シェル体１が、後部に保冷バッグによって生じた冷気ｃａが流通し得る切欠部１２を備えているため、使用者Ｐにおける頭部Ｐｈの後部に冷気ｃａを及び易くし得るものとなる。
【００３５】
保冷体支持部材２が、シェル体１の上面側に取り付けられた面ファスナ２であるため、保冷バッグＣを簡単な構成でシェル体１に対して支持させることができるものとなる。
【００３６】
シェル体２が、ポリプロピレン製のものであるため、断熱性及び可撓性に優れたものとなっている。
【００３７】
ヘルメットＨが、硬質樹脂製のヘルメット本体Ｈ１と、ヘルメット本体Ｈ１の内部に配されて使用者Ｐの頭部Ｐｈに当接し得る装着部材Ｈ２とを備えたものであり、シェル体１の周端縁が、樹脂の弾性変形を利用して装着部材Ｈ２に係わり合うように構成されている。このため、冷却具ＡをヘルメットＨに極めて簡単に装着することができるものとなる。すなわち、冷却具ＡをヘルメットＨの内部に押し込めば、シェル体１の周端縁が樹脂の弾性変形によって装着部材Ｈ２に係わり合うため、シンプルな作業で冷却具ＡをヘルメットＨに装着することができるものとなる。つまり、この冷却具Ａであれば、現場作業者等である使用者ＰがヘルメットＨへの取り付けに煩わしさを感じにくいものとなり、使い勝手に優れたものとなる。
【００３８】
なお、本発明は、以上に詳述した実施形態に限られるものではない。
【００３９】
上述した実施形態では、取り付け対象である頭部被覆具としてヘルメットを例示して説明したが、頭部被覆具とはヘルメットに限られるものではない。頭部被覆具には、ヘルメット以外にも、例えば、麦わら帽子や野球帽や特殊な被り物等が考えられる。
【００４０】
ヘルメットは、本実施形態に示されたようないわゆる作業用ヘルメットに限られるものではなく、使用者の頭部を保護するものであれば広く適用することができる。例えば、自転車やオートバイや自動車等の運転手が着用するヘルメットに適用してもよい。
【００４１】
頭部被覆具は、本実施形態で示すような装着部材を備えたものでなくてもよい。
【００４２】
保冷体は、必ずしも頭部被覆具に対して止着されている必要は無く、使用状態において、単に使用者の頭頂部分に載置されるように構成されたものであってもよい。
【００４３】
保冷体支持部材は、本実施形態に示されるような面ファスナに限られるものではないことはもちろんのことである。例えば、保冷体支持部材を、袋状の収容部材とし、この袋状の収容部材内に保冷体を出し入れ可能に収容させるようにしてもよい。
【００４４】
断熱材は、シェル体の上面側に配したものであってもよい。
【００４５】
冷却具には、使用者の頭部と快適に接するべくクッション性のある部材を介在させてもよいのはもちろんのことである。
【００４６】
その他、各部の具体的構成についても上記実施形態に限られるものではなく、本発明の趣旨を逸脱しない範囲で種々変形が可能である。
【符号の説明】
【００４７】
１…シェル体
２…保冷体支持部材（面ファスナ）
３…断熱材
Ａ…頭部被覆具（ヘルメット）用内部空間冷却具
Ｃ…保冷体（保冷バッグ）
Ｈ…頭部被覆具（ヘルメット）
ｓｐ…内部空間
【図１】
2015045110.tif 000003
【図２】
2015045110.tif 000004
【図３】
2015045110.tif 000005